(57)【要約】【課題】本発明は、１台の装置本体に対して異なる複数種類の内視鏡を適宜選択的に組み合わせて共通に使用できる内視鏡装置を提供することを最も主要な特徴とする。【解決手段】固定ユニット３と標準的に組み合わされるスコープユニット２とは異なる種類のファイバースコープ６９をスコープユニット２として認識させる仲介アダプタ６０を連結部３ｂに設けたものである。【選択図】    図１
2004290568.tif 000002
【特許請求の範囲】
【請求項１】
検査対象空間内に挿入される細長い挿入部を備えた内視鏡と、この内視鏡を着脱可能に連結する内視鏡着脱部を有する内視鏡装置本体とを備えた内視鏡装置において、
前記内視鏡装置本体と標準的に組み合わされる第１の内視鏡とは異なる種類の第２の内視鏡を前記第１の内視鏡として認識させる認識手段を前記内視鏡着脱部に設けたことを特徴とする内視鏡装置。
【請求項２】
前記第１の内視鏡は、前記挿入部の先端部に固体撮像素子を配したビデオスコープであることを特徴とする請求項１に記載の内視鏡装置。
【請求項３】
前記内視鏡装置本体は、光源を内蔵し、
前記内視鏡着脱部は、前記第２の内視鏡を着脱可能に連結し、前記光源の照明光を前記第２の内視鏡に供給する供給手段を有することを特徴とする請求項１に記載の内視鏡装置。
【請求項４】
前記内視鏡装置本体は、光源および前記第１の内視鏡の電気制御部を内蔵し、
前記内視鏡着脱部は、前記光源からの光を導光する光コネクタ受部と、前記電気制御部に接続される電気コネクタ受部とを具備し、
前記第１の内視鏡は、前記光コネクタ受部に着脱可能に連結される第１の光コネクタ部と、前記電気コネクタ受部に着脱可能に連結される第１の電気コネクタ部とを具備することを特徴とする請求項１に記載の内視鏡装置。
【請求項５】
前記内視鏡着脱部は、前記第１の内視鏡との間に仲介アダプタが着脱可能に介設され、
前記仲介アダプタは、前記第２の内視鏡を着脱可能に連結し、前記光源の照明光を前記第２の内視鏡に供給する供給手段を有することを特徴とする請求項１に記載の内視鏡装置。
【請求項６】
前記仲介アダプタは、前記内視鏡装置本体と着脱可能に連結される本体連結部と、前記第１の内視鏡と着脱可能に連結される第１の内視鏡連結部と、前記第２の内視鏡と着脱可能に連結される第２の内視鏡連結部とを具備し、
前記認識手段は、前記第２の内視鏡が前記第２の内視鏡連結部に接続された際に前記第２の内視鏡を前記第１の内視鏡として認識させる機能を有することを特徴とする請求項５に記載の内視鏡装置。
【請求項７】
前記本体連結部は、前記光コネクタ受部に着脱可能に連結される第２の光コネクタ部と、前記電気コネクタ受部に着脱可能に連結される第２の電気コネクタ部とを具備し、
前記第１の内視鏡連結部は、前記第１の電気コネクタ部に着脱可能に連結される第３の電気コネクタ部を具備し、
前記第２の内視鏡連結部は、前記第２の内視鏡の光コネクタ部に着脱可能に連結される第３の光コネクタ部を有し、
前記供給手段は、前記第２の光コネクタ部からの光を前記第３の光コネクタ部に導光する導光手段を有し、
前記認識手段は、前記第２の電気コネクタ部と前記第３の電気コネクタ部との間を電気的に接続する電気接続手段を有することを特徴とする請求項６に記載の内視鏡装置。
【請求項８】
前記第２の内視鏡は、イメージガイドファイバを有するファイバースコープであることを特徴とする請求項１〜７のいずれかに記載の内視鏡装置。
【請求項９】
前記第２の内視鏡は、リレーレンズまたはセルフォックレンズを有する硬性鏡であることを特徴とする請求項１〜７のいずれかに記載の内視鏡装置。
【請求項１０】
前記第２の内視鏡は、手動方式の湾曲機構を有する手動内視鏡であることを特徴とする請求項１〜７のいずれかに記載の内視鏡装置。
【請求項１１】
前記認識手段は、前記仲介アダプタの電気接続手段の通電状態を検出する手段であることを特徴とする請求項７に記載の内視鏡装置。
【請求項１２】
前記第１の内視鏡は、前記固体撮像素子を駆動制御する第１の撮像制御装置を有し、
前記認識手段は、第１の撮像制御装置の通電状態を検出する手段であることを特徴とする請求項１１に記載の内視鏡装置。
【請求項１３】
前記第１の内視鏡は、検査対象空間内に挿入される挿入部の先端部近傍に湾曲部を有し、その湾曲部を電動式に湾曲させる湾曲駆動機構と、その動作制御を行なう第１の湾曲制御部とを有し、
前記認識手段は、前記第１の湾曲制御部の通電状態を検出する手段であることを特徴とする請求項１１に記載の内視鏡装置。
【請求項１４】
前記内視鏡着脱部は、前記内視鏡装置本体と着脱可能に連結される仲介アダプタユニットを有し、
前記仲介アダプタユニットは、前記内視鏡装置本体と着脱可能に連結される本体連結部と、前記第２の内視鏡と着脱可能に連結される第２の内視鏡連結部と、前記第２の内視鏡を前記第１の内視鏡として認識させる認識手段とを具備することを特徴とする請求項１に記載の内視鏡装置。
【請求項１５】
前記仲介アダプタユニットは、前記内視鏡装置本体と着脱可能に連結される本体連結部と、前記第２の内視鏡と着脱可能に連結される第２の内視鏡連結部と、前記第１の内視鏡の電気回路に相当するダミー手段とを具備し、
前記本体連結部は、前記光コネクタ受部に着脱可能に連結される第４の光コネクタ部と、前記電気コネクタ受部に着脱可能に連結される第４の電気コネクタ部とを具備し、
前記第２の内視鏡連結部は、前記第２の内視鏡の光コネクタ部に着脱可能に連結される第５の光コネクタ部を有し、
前記供給手段は、前記第４の光コネクタ部からの光を前記第５の光コネクタ部に導光する導光手段を有し、
前記認識手段は、前記第４の電気コネクタ部と前記ダミー手段との間を電気的に接続する電気接続手段を有することを特徴とする請求項１４に記載の内視鏡装置。
【請求項１６】
前記内視鏡着脱部は、前記電気コネクタ受部に着脱可能に連結されるダミーユニットを有し、
前記ダミーユニットは、前記電気コネクタ受部に着脱可能に連結される第５の電気コネクタ部と、前記第１の内視鏡の電気回路に相当するダミー手段とを具備し、
前記認識手段は、前記第５の電気コネクタ部と前記ダミー手段との間を電気的に接続する電気接続手段を有することを特徴とする請求項４に記載の内視鏡装置。
【請求項１７】
前記仲介アダプタは、前記光源から前記第２の内視鏡への照明光の導出方向を変換する変換アダプタが着脱自在に設けられていることを特徴とする請求項５に記載の内視鏡装置。
【発明の詳細な説明】
【０００１】
【発明の属する技術分野】
本発明は、装置本体の内視鏡着脱部に内視鏡が着脱可能に接続される内視鏡装置に関する。
【０００２】
【従来の技術】
一般に、内視鏡装置には照明光の光源などを内蔵した装置本体の固定ユニットと、検査対象空間内に挿入されて内部の検査に実際に使用される内視鏡とが設けられている。固定ユニットには光接続用のコネクタ受部が設けられている。内視鏡には検査対象空間内に挿入される細長い挿入部の基端部に手元側の操作部が配設されている。この操作部にはユニバーサルコードの一端部が連結されている。このユニバーサルコードの他端部にはコネクタ部が連結されている。このコネクタ部には光接続用のライトガイドコネクタが設けられている。そして、内視鏡のライトガイドコネクタが固定ユニットの光接続用のコネクタ受部に着脱可能に接続されている。
【０００３】
また、特許文献１には、内視鏡の観察光学系にＣＣＤなどの撮像素子が組み込まれたビデオスコープが示されている。このビデオスコープでは手元側の操作部に連結されたユニバーサルコードの端部のコネクタ部に光接続用のライトガイドコネクタと、電気接続用の電気コネクタとが設けられている。さらに、光源装置（装置本体の固定ユニット）には光接続用のコネクタ受部や、電気接続用のコネクタ受部などが設けられている。そして、内視鏡のライトガイドコネクタや、電気接続用の電気コネクタが固定ユニットの光接続用のコネクタ受部や、電気接続用のコネクタ受部に着脱可能に接続されている。
【０００４】
さらに、本特許文献１には、内視鏡の接続状態を検知する検知回路が示されている。そして、内視鏡と固定ユニットとの接続時には内視鏡と固定ユニットとの電気的な接続を認識することにより、内視鏡と固定ユニットとの間がはじめて接続状態に切換えられ、使用可能となる構成が示されている。
【０００５】
【特許文献１】
特開２０００−１０２５０７号公報
【０００６】
【発明が解決しようとする課題】
内視鏡の観察光学系に光ファイバが配設されているファイバースコープの場合、できる限り構造を簡略化するために、電気回路、電気接点のないものがそのほとんどを占めている。そして、特許文献１のように内視鏡の接続状態を電気的に検知する検知回路が設けられているビデオスコープ用の光源装置（装置本体の固定ユニット）では、光源装置のソケットにファイバースコープの接続プラグ部が接続された場合でも、その接続状態が認識できない問題がある。そのため、特許文献１のビデオスコープ用の光源装置ではファイバースコープが使用できない問題がある。
【０００７】
本発明は上記事情に着目してなされたもので、その目的は、１台の装置本体に対して異なる複数種類の内視鏡を適宜選択的に組み合わせて共通に使用できる内視鏡装置を提供することにある。
【０００８】
【課題を解決するための手段】
請求項１の発明は、検査対象空間内に挿入される細長い挿入部を備えた内視鏡と、この内視鏡を着脱可能に連結する内視鏡着脱部を有する内視鏡装置本体とを備えた内視鏡装置において、前記内視鏡装置本体と標準的に組み合わされる第１の内視鏡とは異なる種類の第２の内視鏡を前記第１の内視鏡として認識させる認識手段を前記内視鏡着脱部に設けたことを特徴とする内視鏡装置である。
そして、本請求項１の発明では、内視鏡着脱部に設けた認識手段によって内視鏡装置本体と標準的に組み合わされる第１の内視鏡とは異なる種類の第２の内視鏡を第１の内視鏡として認識させるようにしたものである。これにより、もともと第１の内視鏡と装置本体を組み合わせて使用する内視鏡装置に対し、装置本体と組み合わせできない第２の内視鏡を第１の内視鏡であると認識させ、使用状態とする作用がある。
【０００９】
請求項２の発明は、前記第１の内視鏡は、前記挿入部の先端部に固体撮像素子を配したビデオスコープであることを特徴とする請求項１に記載の内視鏡装置である。
請求項３の発明は、前記内視鏡装置本体は、光源を内蔵し、前記内視鏡着脱部は、前記第２の内視鏡を着脱可能に連結し、前記光源の照明光を前記第２の内視鏡に供給する供給手段を有することを特徴とする請求項１に記載の内視鏡装置である。
請求項４の発明は、前記内視鏡装置本体は、光源および前記第１の内視鏡の電気制御部を内蔵し、前記内視鏡着脱部は、前記光源からの光を導光する光コネクタ受部と、前記電気制御部に接続される電気コネクタ受部とを具備し、前記第１の内視鏡は、前記光コネクタ受部に着脱可能に連結される第１の光コネクタ部と、前記電気コネクタ受部に着脱可能に連結される第１の電気コネクタ部とを具備することを特徴とする請求項１に記載の内視鏡装置である。
請求項５の発明は、前記内視鏡着脱部は、前記第１の内視鏡との間に仲介アダプタが着脱可能に介設され、前記仲介アダプタは、前記第２の内視鏡を着脱可能に連結し、前記光源の照明光を前記第２の内視鏡に供給する供給手段を有することを特徴とする請求項１に記載の内視鏡装置である。
請求項６の発明は、前記仲介アダプタは、前記内視鏡装置本体と着脱可能に連結される本体連結部と、前記第１の内視鏡と着脱可能に連結される第１の内視鏡連結部と、前記第２の内視鏡と着脱可能に連結される第２の内視鏡連結部とを具備し、前記認識手段は、前記第２の内視鏡が前記第２の内視鏡連結部に接続された際に前記第２の内視鏡を前記第１の内視鏡として認識させる機能を有することを特徴とする請求項５に記載の内視鏡装置である。
そして、本請求項６の発明では、仲介アダプタの本体連結部を内視鏡装置本体に着脱可能に連結させ、第１の内視鏡連結部を第１の内視鏡と着脱可能に連結させ、第２の内視鏡連結部を第２の内視鏡と着脱可能に連結させる。この状態で、第２の内視鏡が第２の内視鏡連結部に接続された際に認識手段によって第２の内視鏡を第１の内視鏡として認識させるようにしたものである。これにより、互換性のない複数の内視鏡のライトガイドコネクタを装置本体に取り付け可能で、ファイバースコープや硬性鏡などの非ビデオスコープを組み付けた場合にビデオスコープとして認識し、装置本体をスタンバイ可能な状態とし、検査できるようにする着脱式仲介アダプタを供給するようにしたものである。
【００１０】
請求項７の発明は、前記本体連結部は、前記光コネクタ受部に着脱可能に連結される第２の光コネクタ部と、前記電気コネクタ受部に着脱可能に連結される第２の電気コネクタ部とを具備し、前記第１の内視鏡連結部は、前記第１の電気コネクタ部に着脱可能に連結される第３の電気コネクタ部を具備し、前記第２の内視鏡連結部は、前記第２の内視鏡の光コネクタ部に着脱可能に連結される第３の光コネクタ部を有し、前記供給手段は、前記第２の光コネクタ部からの光を前記第３の光コネクタ部に導光する導光手段を有し、前記認識手段は、前記第２の電気コネクタ部と前記第３の電気コネクタ部との間を電気的に接続する電気接続手段を有することを特徴とする請求項６に記載の内視鏡装置である。
そして、本請求項７の発明では、本体連結部の第２の光コネクタ部を光コネクタ受部に着脱可能に連結させ、第２の電気コネクタ部を電気コネクタ受部に着脱可能に連結させる。第１の内視鏡連結部の第３の電気コネクタ部は、第１の電気コネクタ部に着脱可能に連結させる。さらに、認識手段の電気接続手段によって第２の電気コネクタ部と第３の電気コネクタ部との間を電気的に接続する。この状態で、第２の内視鏡連結部の第３の光コネクタ部に、第２の内視鏡の光コネクタ部を着脱可能に連結させることにより、供給手段の導光手段によって第２の光コネクタ部からの光を第３の光コネクタ部に導光するようにしたものである。
【００１１】
請求項８の発明は、前記第２の内視鏡は、イメージガイドファイバを有するファイバースコープであることを特徴とする請求項１〜７のいずれかに記載の内視鏡装置である。
請求項９の発明は、前記第２の内視鏡は、リレーレンズまたはセルフォックレンズを有する硬性鏡であることを特徴とする請求項１〜７のいずれかに記載の内視鏡装置である。
請求項１０の発明は、前記第２の内視鏡は手動方式の湾曲機構を有する手動内視鏡であることを特徴とする請求項１〜７のいずれかに記載の内視鏡装置である。
請求項１１の発明は、前記認識手段は、前記仲介アダプタの電気接続手段の通電状態を検出する手段であることを特徴とする請求項７に記載の内視鏡装置である。
請求項１２の発明は、前記第１の内視鏡は、前記固体撮像素子を駆動制御する第１の撮像制御装置を有し、前記認識手段は、第１の撮像制御装置の通電状態を検出する手段であることを特徴とする請求項１１に記載の内視鏡装置である。
請求項１３の発明は、前記第１の内視鏡は、検査対象空間内に挿入される挿入部の先端部近傍に湾曲部を有し、その湾曲部を電動式に湾曲させる湾曲駆動機構と、その動作制御を行なう第１の湾曲制御部とを有し、前記認識手段は、前記第１の湾曲制御部の通電状態を検出する手段であることを特徴とする請求項１１に記載の内視鏡装置である。
請求項１４の発明は、前記内視鏡着脱部は、前記内視鏡装置本体と着脱可能に連結される仲介アダプタユニットを有し、前記仲介アダプタユニットは、前記内視鏡装置本体と着脱可能に連結される本体連結部と、前記第２の内視鏡と着脱可能に連結される第２の内視鏡連結部と、前記第２の内視鏡を前記第１の内視鏡として認識させる認識手段とを具備することを特徴とする請求項１に記載の内視鏡装置である。
請求項１５の発明は、前記仲介アダプタユニットは、前記内視鏡装置本体と着脱可能に連結される本体連結部と、前記第２の内視鏡と着脱可能に連結される第２の内視鏡連結部と、前記第１の内視鏡の電気回路に相当するダミー手段とを具備し、前記本体連結部は、前記光コネクタ受部に着脱可能に連結される第４の光コネクタ部と、前記電気コネクタ受部に着脱可能に連結される第４の電気コネクタ部とを具備し、前記第２の内視鏡連結部は、前記第２の内視鏡の光コネクタ部に着脱可能に連結される第５の光コネクタ部を有し、前記供給手段は、前記第４の光コネクタ部からの光を前記第５の光コネクタ部に導光する導光手段を有し、前記認識手段は、前記第４の電気コネクタ部と前記ダミー手段との間を電気的に接続する電気接続手段を有することを特徴とする請求項１４に記載の内視鏡装置である。
そして、本請求項１５の発明では、内視鏡装置本体と着脱可能に連結される本体連結部と、第２の内視鏡と着脱可能に連結される第２の内視鏡連結部とを備えた仲介アダプタユニットに第１の内視鏡の電気回路に相当するダミー手段を設ける。本体連結部の第４の光コネクタ部は、光コネクタ受部に着脱可能に連結させ、第４の電気コネクタ部を電気コネクタ受部に着脱可能に連結させる。第２の内視鏡連結部の第５の光コネクタ部には、第２の内視鏡の光コネクタ部を着脱可能に連結させる。さらに、認識手段の電気接続手段で、第４の電気コネクタ部とダミー手段との間を電気的に接続することにより、供給手段の導光手段は、第４の光コネクタ部からの光を第５の光コネクタ部に導光するようにしたものである。
【００１２】
請求項１６の発明は、前記内視鏡着脱部は、前記電気コネクタ受部に着脱可能に連結されるダミーユニットを有し、前記ダミーユニットは、前記電気コネクタ受部に着脱可能に連結される第５の電気コネクタ部と、前記第１の内視鏡の電気回路に相当するダミー手段とを具備し、前記認識手段は、前記第５の電気コネクタ部と前記ダミー手段との間を電気的に接続する電気接続手段を有することを特徴とする請求項４に記載の内視鏡装置である。
そして、本請求項１６の発明では、内視鏡着脱部のダミーユニットを、電気コネクタ受部に着脱可能に連結させ、ダミーユニットの第５の電気コネクタ部を電気コネクタ受部に着脱可能に連結させた状態で、認識手段の電気接続手段によって第５の電気コネクタ部と第１の内視鏡の電気回路に相当するダミー手段との間を電気的に接続するようにしたものである。
【００１３】
請求項１７の発明は、前記仲介アダプタは、前記光源から前記第２の内視鏡への照明光の導出方向を変換する変換アダプタが着脱自在に設けられていることを特徴とする請求項５に記載の内視鏡装置である。
そして、本請求項１７の発明では、照明光の導出方向を変換することでスコープの向きをスコープに負荷をかけずに変える作用がある。
【００１４】
【発明の実施の形態】
以下、本発明の第１の実施の形態を図１乃至図１３（Ａ）〜（Ｃ）を参照して説明する。図１は本実施の形態の内視鏡装置１のシステム全体の概略構成を示すものである。また、図２は本実施の形態の内視鏡装置１のシステムが通常使用される基本的な使用状態を示すものである。
【００１５】
図２に示すように内視鏡装置１のシステムには第１の内視鏡としてのスコープユニット２と、このスコープユニット２と組み合わせて使用する装置本体となる固定ユニット３とが設けられている。さらに、本実施の形態の内視鏡装置１のシステムには図１に示すようにスコープユニット２と固定ユニット３との間に後述する仲介アダプタ６０が必要に応じて適宜、着脱可能に介設されるようになっている。なお、固定ユニット３は仲介アダプタ６０なしでスコープユニット２を直接連結させて組み合わせた状態での使用が可能である。
【００１６】
また、この内視鏡装置１には図３に示すように内視鏡収納ケース１２と、この内視鏡収納ケース１２内に着脱可能に収納される内視鏡組み付けユニット１１とが設けられている。この内視鏡組み付けユニット１１にはスコープユニット２と、固定ユニット３と、スコープ収納部１５と、仲介アダプタ６０などの本実施の形態の内視鏡装置１のシステムの構成要素がそれぞれ互いに着脱可能に一体的に組み付けられている。そして、固定ユニット３、スコープユニット２、さらには仲介アダプタ６０がスコープ収納部１５とともに、ケース１２に収納されている。
【００１７】
内視鏡収納ケース１２には上面が開口された箱型のケース本体１２ａと、このケース本体１２ａの上面開口部を開閉する蓋１２ｂとが設けられている。この蓋１２ｂは図示しないヒンジ部を介してケース本体１２ａの上面開口部の一側部に回動可能に連結されている。
【００１８】
スコープユニット２は、少なくとも検査対象空間内に挿入される可撓性を有する細長い挿入部４ａと、中間連結部４ｂと、ユニバーサルケーブル４ｃと、ベースユニット４ｄとを有している。ここで、スコープユニット２は挿入部４ａの先端部に固体撮像素子を配したビデオスコープによって形成されている。
【００１９】
挿入部４ａは、最先端位置に配置され、観察用の観察光学系や、照明光学系などが組み込まれたヘッド部４ａ１と、遠隔的に湾曲動作能な湾曲部４ａ２と、細長い可撓管部４ａ３とから構成されている。そして、ヘッド部４ａ１と可撓管部４ａ３との間に湾曲部４ａ２が介設されている。
【００２０】
図４に示すように、ヘッド部４ａ１の先端面には照明光学系用の照明窓１０４と、観察光学系用の観察窓１０６と、挿入部４ａの内部に配設された内部チャンネル（処置具押通路）１０２の先端側開口部１０１などがそれぞれ配設されている。なお、ヘッド部４ａ１の先端面には必要に応じて各種の光学アダプター１００が適宜選択的に装着可能になっている。
【００２１】
さらに、挿入部４ａの内部には照明窓に照明光を伝送するライトガイドと、観察光学系に配設された例えばＣＣＤなどの固体撮像素子に接続された信号線と、湾曲部４ａ２を湾曲操作する複数、本実施の形態では４本のアングルワイヤ（操作ワイヤ）などがそれぞれ配設されている。
【００２２】
ここで、本実施の形態では例えば上下湾曲操作用の２本のアングルワイヤと、左右湾曲操作用の２本のアングルワイヤとが設けられている。そして、挿入部４ａの湾曲部４ａ２は上下湾曲操作用の２本のアングルワイヤによって上下方向に、また左右湾曲操作用の２本のアングルワイヤによって左右方向にそれぞれ牽引操作され、上下方向、左右方向の４方向、およびこれらを組み合わせた任意の方向に湾曲変形可能になっている。
【００２３】
また、挿入部４ａの可撓管部４ａ３の基端部には中間連結部４ｂの先端部が連結されている。この中間連結部４ｂには使用者が片手で把持可能なグリップ部４ｂ１が設けられている。このグリップ部４ｂ１の後端部にはチャンネルポート部４ｂ２とユニバーサルケーブル４ｃの先端部との連結部とが並設されている。さらに、ユニバーサルケーブル４ｃの内部には挿入部４ａ側から延出されるライトガイドと、信号線と、４本のアングルワイヤなどが延設されている。
【００２４】
また、ユニバーサルケーブル４ｃの基端部はベースユニット４ｄに連結されている。このベースユニット４ｄには、図２に示すようにユニットケース４ｄ１の内部に電動湾曲駆動部（湾曲制御機構）５と、電動湾曲制御部６ａと、ＣＣＤ制御部６ｂとが内蔵されている。ここで、電動湾曲駆動部５には図５（Ｃ）に示すように牽引力伝達機構ユニット５ａと、上下湾曲操作用及び左右湾曲操作用にそれぞれ対応する２つのモータユニット７とが設けられている。さらに、電動湾曲制御部６ａには電動湾曲駆動部５の動作を制御する湾曲制御回路が内蔵されている。また、ＣＣＤ制御部６ｂにはカメラコントロールユニット（ＣＣＵ）を構成する撮像素子の制御回路などが内蔵されている。
【００２５】
また、図２に示すように固定ユニット３にはユニットケース３ａの内部に電源ユニット８と、光源ユニット９と、システム制御回路（電気制御部）１０とが内蔵されている。さらに、システム制御回路１０には固定ユニット３の外部に配置され、装置１を操作する操作リモコン１６と、表示を行うモニター１７とが接続できるようになっている。
【００２６】
また、図６に示すように固定ユニット３のユニットケース３ａには、スコープユニット２のベースユニット４ｄや、後述する仲介アダプタ６０を着脱可能に連結する連結部（内視鏡着脱部）３ｂが形成されている。この連結部３ｂは、ユニットケース３ａの一側部に略Ｌ字状に切欠された凹陥部によって形成されている。この連結部３ｂにはスコープユニット当接面３ｂ１と、このコネクタ装着面３ｂ１と直交する向きに配置されたスコープユニットガイド面３ｂ２とが設けられている。
【００２７】
そして、固定ユニット３とスコープユニット２のベースユニット４ｄ（または後述する仲介アダプタ６０）との連結時にはスコープユニットガイド面３ｂ２にはベースユニット４ｄのユニットケース４ｄ１の側板４ｄ３（または後述する仲介アダプタ６０の側板６０ａ２）が接触し、スコープユニット当接面３ｂ１にはベースユニット４ｄにおけるユニットケース４ｄ１の端板（筐体パネル）４ｄ２（または後述する仲介アダプタ６０の端板６０ａ１）と当接するようになっている。
【００２８】
また、図５（Ａ），（Ｂ）に示すようにベースユニット４ｄのユニットケース４ｄ１の側板４ｄ３には上下２段の突起状の樹脂製スライダー部材１３が略水平左向に沿って延設されている。ここで、固定ユニット３のスコープユニットガイド面３ｂ２には図６に示すようにこのスライダー部材１３の移動をガイドする金属製のガイドレール１４が設けられている。そして、ベースユニット４ｄと固定ユニット３（または後述する仲介アダプタ６０）との連結時にこれらのスライダー部材１３はガイドレール１４に挿入され、ベースユニット４ｄの移動をガイドするようになっている。
【００２９】
また、図２に示すように固定ユニット３のスコープユニット当接面３ｂ１には光源ユニット９からの光を導光する例えば雌型の光源側光コネクタ受部１９と、システム制御回路１０に接続される固定ユニット側電気コネクタ受部３３とが設けられている。これらの光コネクタ受部１９と電気コネクタ受部３３によってスコープユニット２のベースユニット４ｄと固定ユニット３との間を着脱可能に接続して内視鏡として機能させるための機械的な光接続用および電気接続用の各接続インターフェース部が形成されている。
【００３０】
また、ベースユニット４ｄにおけるユニットケース４ｄ１の端板４ｄ２には例えば雄型のスコープ側ライトガイドコネクタ（以下、スコープＬＧコネクタ）２０と、スコープ側電気コネクタ３４とが設けられている。そして、スコープＬＧコネクタ２０によって光コネクタ受部１９に着脱可能に連結される第１の光コネクタ部、スコープ側電気コネクタ３４によって電気コネクタ受部３３に着脱可能に連結される第１の電気コネクタ部がそれぞれ形成されている。
【００３１】
ここで、光源側光コネクタ受部１９は固定ユニット３に位置精度良く、比較的強固に取付けられている固定コネクタである。さらに、スコープＬＧコネクタ２０はベースユニット４ｄに対してわずかに移動できるようにがた（遊び）をもたせた状態で取付けられた可動コネクタである。
【００３２】
また、図１０は光源側光コネクタ受部１９の取付け状態を示すものである。ここで、光源側光コネクタ受部１９には略管状のコネクターブロック（受け部材）２１が設けられている。このコネクターブロック２１の基端部は固定ユニット３内の光源ユニット９のランプハウジング９ａにねじ止め固定されている。
【００３３】
また、スコープユニット２のベースユニット４ｄのＬＧコネクタ２０には略軸状のＬＧコネクタ本体２７が設けられている。このＬＧコネクタ本体２７の軸心部にはユニバーサルケーブル４ｃ側から延出されるライトガイド２８の基端部が連結されている。
【００３４】
そして、図９に示すように光源側光コネクタ受部１９とスコープＬＧコネクタ２０（または仲介雄ＬＧコネクタ６３）との連結時にはこのコネクターブロック２１の管内にスコープＬＧコネクタ２０（または仲介雄ＬＧコネクタ６３）のＬＧコネクタ本体２７が挿入される状態で嵌合するようになっている。このとき、光源ユニット９内の図示しないランプの光軸とＬＧコネクタ２０のライトガイド２８の端面とが同軸になるようにコネクターブロック２１と図示しないランプは位置合わせされている。これにより、ＬＧコネクタ２０のコネクター端面に光源ユニット９内の図示しないランプの照明が集光するようになっている。
【００３５】
また、スコープユニット２と固定ユニット３は、スコープ側電気コネクタ３４と固定ユニット側電気コネクタ受部３３が接続されることにより電気的に接続されるようになっている。
【００３６】
図１１（Ａ），（Ｂ）は固定ユニット側電気コネクタ受部３３、図１１（Ｃ），（Ｄ）はスコープ側電気コネクタ３４をそれぞれ示すものである。ここで、図１１（Ａ）に示すように固定ユニット側電気コネクタ受部３３の電気コネクタ本体３５は基板３６に実装されている。図１１（Ｂ）に示すようにこの基板３６にはハーネス３７の一端部が接続されている。このハーネス３７の他端部は固定ユニット３内のシステム制御回路１０に接続されている。
【００３７】
また、図１１（Ｄ）に示すようにスコープ側電気コネクタ３４の電気コネクタ本体３８は基板３９に実装されている。この基板３９にはハーネス４０の一端部が接続されている。このハーネス４０は２つに分岐され、図１に示すように一方のハーネス４０ａはスコープユニット２内の電動湾曲制御部６ａ、他方のハーネス４０ｂはＣＣＤ制御部６ｂにそれぞれ接続されている。ここで、スコープユニット２のハーネス４０には、ＣＣＤ制御部６６が出力する映像信号、ＣＣＤ制御部６６を制御するための通信信号、ＣＣＤ制御部６ｂや、挿入部４ａの先端の固体撮像素子の電源線、電動湾曲制御部６ａを制御するための通信信号、電動湾曲制御部６ａやモータユニット７の各モーターの電源線、及びスコープユニット２が正常に接続されているか否かを検知する接続検知線といった複数の信号線が含まれる。
【００３８】
これらの信号線は、固定ユニット側電気コネクタ受部３３に接続されたハーネス３７を介してシステム制御回路１０に接続される。さらに、システム制御回路１０では、ＣＣＤ制御部６ｂの映像信号が入力されＡ／Ｄ変換される。Ａ／Ｄ変換された画像信号はリモコン１６の図示しない画像記録用ボタン押下に伴い図示しない画像記録用のＰＣカードに記録される。同時に、Ａ／Ｄ変換された画像信号をＤ／Ａ変換し、モニター１７に出力する。
【００３９】
また、リモコン１６の操作にともない次の動作が行なわれる。すなわち、リモコン１６から画像ズームなどの映像操作信号の入力に伴いＣＣＤ制御部６ｂに対して通信コマンドを作成し、送信する。また、リモコン１６からの電動湾曲操作信号の入力に伴い電動湾曲制御部６ａに対して通信コマンドを作成し送信する。また、その他にも図示しないメニュー表示とそれに伴う内視鏡装置１全体の制御を行う。
【００４０】
また、図１に示すように固定ユニット３の上面には外部映像信号入力用コネクタ１０５が設けられている。このコネクタ１０５には、スコープユニット２以外のビデオカメラ１０６が出力する映像信号を入力することが出来る。そして、外部映像信号入力用コネクタ１０５にビデオケーブル１０７を介してビデオカメラ１０６が接続されると、システム制御回路１０は映像信号源をスコープユニット２から外部映像信号に切り替え、Ａ／Ｄ変換する。
【００４１】
ここで、ビデオカメラ１０６は例えば第２の内視鏡であるファイバースコープ６９の接眼部６６から得られる画像を結像できるような図示しない光学アダプタを備えており、ファイバースコープ６９の画像を内視鏡装置１に入力できる。
【００４２】
Ａ／Ｄ変換された画像信号はリモコン１６の図示しない画像記録用ボタン押下に伴い図示しない画像記録用のＰＣカードに記録される。同時に、Ａ／Ｄ変換された画像信号をＤ／Ａ変換しモニター１７に出力する。無論、ビデオカメラ１０６を使用せずに接眼部６６より肉眼にて観察してもよい。
【００４３】
また、仲介アダプタ６０は次の通り構成されている。図６に示すように仲介アダプタ６０には略Ｌ字状のアダプタ本体６０ａが設けられている。このアダプタ本体６０ａにはＬ字状の外面側に端板６０ａ１と、側板６０ａ２とがそれぞれ設けられ、Ｌ字状の内面側にも同様に端板（第１の内視鏡連結部）６０ｂ１と、側板６０ｂ２とがそれぞれ設けられている。さらに、アダプタ本体６０ａの上面には上板（第２の内視鏡連結部）６０ｃが設けられている。
【００４４】
このアダプタ本体６０ａの外面側の側板６０ａ２には上下２段の突起状の樹脂製スライダー部材６１が略水平左向に沿って延設されている。これらのスライダー部材６１は固定ユニット３のスコープユニットガイド面３ｂ２の上下２段のガイドレール１４とそれぞれ対応する位置に配置されている。そして、この仲介アダプタ６０のスライダー部材６１は固定ユニット３のガイドレール１４と係合し、仲介アダプタ６０の移動をガイドするようになっている。
【００４５】
さらに、アダプタ本体６０ａの内面側の側板６０ｂ２には上下２段の金属製のガイドレール６２が設けられている。これらのガイドレール６２はベースユニット４ｄの上下２段のスライダー部材１３とそれぞれ対応する位置に配置されている。そして、この仲介アダプタ６０のガイドレール６２にはベースユニット４ｄの上下２段のスライダー部材１３と係合し、ベースユニット４ｄの移動をガイドするようになっている。
【００４６】
また、アダプタ本体６０ａの外面側の端板６０ａ１には仲介アダプタ側雄ＬＧコネクタ（第２の光コネクタ部）６３と、仲介アダプタ側電気コネクタ（第２の電気コネクタ部）７３ａとが設けられている。これらの仲介アダプタ側雄ＬＧコネクタ６３と、仲介アダプタ側電気コネクタ７３ａとは固定ユニット３の光源側光コネクタ受部１９と、固定ユニット側電気コネクタ受部３３とそれぞれ対応する位置に配置されている。
【００４７】
そして、仲介アダプタ６０と固定ユニット３との連結時には仲介アダプタ側雄ＬＧコネクタ６３が固定ユニット３の光源側光コネクタ受部１９と接続され、仲介アダプタ側電気コネクタ７３ａが固定ユニット３の固定ユニット側電気コネクタ受部３３と接続されるようになっている。これにより、光源ユニット９からの光が仲介アダプタ側雄ＬＧコネクタ６３に入射されるようになっている。さらに、仲介アダプタ側電気コネクタ７３ａが固定ユニット３の固定ユニット側電気コネクタ受部３３と電気的に接続されるようになっている。
【００４８】
また、アダプタ本体６０ａの内面側の端板６０ｂ１には逃げ孔７６と、アダプタ側電気コネクタ（第３の電気コネクタ部）７３ｂとが設けられている。ここで、アダプタ本体６０ａの逃げ孔７６はベースユニット４ｄのスコープＬＧコネクタ２０と対応する位置、アダプタ側電気コネクタ７３ｂはベースユニット４ｄのスコープ側電気コネクタ３４と対応する位置にそれぞれ配置されている。
【００４９】
そして、仲介アダプタ６０とベースユニット４ｄとの連結時にはアダプタ本体６０ａの逃げ孔７６にベースユニット４ｄのスコープＬＧコネクタ２０が挿入され、アダプタ側電気コネクタ７３ｂがベースユニット４ｄのスコープ側電気コネクタ３４と接続されるようになっている。
【００５０】
また、アダプタ本体６０ａの上板６０ｃには第３の光コネクタ部である雌型の仲介アダプタ側雌ライトガイドコネクタ（以下、仲介雌ＬＧコネクタ）６５が設けられている。この仲介雌ＬＧコネクタ６５には図８に示すように略管状のコネクターブロック（受け部材）７１が設けられている。そして、この仲介アダプタ側雌ライトガイドコネクタ６５のコネクターブロック７１には第２の内視鏡であるファイバースコープ６９のライトガイドコネクタ６８が挿入される状態で連結されるようになっている。
【００５１】
なお、このファイバースコープ６９には細長い挿入部６９ａの内部に図示しないイメージガイドファイバが配設されている。さらに、挿入部６９ａの基端部には手元側の操作部６９ｂが連結されている。この操作部６９ｂの端末部には接眼部６６が配設されている。
【００５２】
この操作部６９ｂの外周面には湾曲操作ノブ７８が配設されているとともに、ユニバーサルケーブル６７の一端部が連結されている。さらに、このユニバーサルケーブル６７の他端部にはライトガイドコネクタ６８が連結されている。
【００５３】
さらに、アダプタ本体６０ａの内部には図８に示すように仲介アダプタ側雄ＬＧコネクタ６３と仲介アダプタ側雌ライトガイドコネクタ６５との間を連結する仲介ライトガイド（導光手段）７２と、仲介アダプタ側電気コネクタ７３ａとアダプタ側電気コネクタ７３ｂとの間を連結するハーネス（電気接続手段）７５とが設けられている。
【００５４】
仲介アダプタ側雄ＬＧコネクタ６３は図１０に示すようにベースユニット４ｄのスコープＬＧコネクタ２０と略同一構成になっている。すなわち、仲介アダプタ側雄ＬＧコネクタ６３には略軸状のＬＧコネクタ本体７０が設けられている。このＬＧコネクタ本体７０の軸心部には仲介アダプタ側雌ライトガイドコネクタ６５側から延出されるライトガイド７２の基端部が連結されている。そして、この仲介アダプタ側雄ＬＧコネクタ６３は仲介アダプタ６０に対してわずかに移動できるようにがた（遊び）をもたせた状態で取付けられた可動コネクタになっている。
【００５５】
図８に示すように固定ユニット３と、仲介アダプタ６０と、ベースユニット４ｄとの連結時には光源側光コネクタ受部１９のコネクターブロック２１に仲介雄ＬＧコネクタ６３のＬＧコネクタ本体７０が挿入される。このとき、光源ユニット９内の図示しないランプの光軸とＬＧコネクタ２０のライトガイド２８の端面とが同軸になるようにコネクターブロック２１と図示しないランプは位置合わせされている。これにより、ＬＧコネクタ本体７０のコネクタ端面に光源ユニット９内の図示しないランプの照明が集光するようになっている。
【００５６】
そして、光源ユニット９からの照明光が仲介アダプタ側雄ＬＧコネクタ６３を介して仲介ライトガイド７２に導光され、この仲介ライトガイド７２を経て仲介アダプタ側雌ライトガイドコネクタ６５に供給されるようになっている。これにより、光源ユニット９からの照明光を仲介アダプタ側雄ＬＧコネクタ６３から仲介ライトガイド７２を介して仲介アダプタ側雌ライトガイドコネクタ６５に導光し、ファイバースコープ６９のライトガイドに供給する供給手段が形成されている。
【００５７】
また、仲介アダプタ側電気コネクタ７３ａはベースユニット４ｄのスコープ側電気コネクタ３４と、また、アダプタ側電気コネクタ７３ｂは固定ユニット３の電気コネクタ受部３３とそれぞれ略同一構成になっている。すなわち、図８に示すように仲介アダプタ６０の仲介アダプタ側電気コネクタ７３ａ，７３ｂには、それぞれ連結するための基板７４ａ，７４ｂと、ハーネス７５とが設けられている。
【００５８】
そして、図８に示すように固定ユニット３と、仲介アダプタ６０と、ベースユニット４ｄとの連結時には仲介アダプタ６０の仲介アダプタ側電気コネクタ７３ａ，７３ｂ間がハーネス７５によって電気的に接続されている。これにより、固定ユニット３内の電気回路と、ベースユニット４ｄ内の電気回路とが仲介アダプタ６０内の電気回路（仲介アダプタ側電気コネクタ７３ａ，７３ｂ間のハーネス７５）を介して接続され、このハーネス７５の通電状態を検出することにより、ファイバースコープ６９をビデオスコープによって形成されるスコープユニット２として認識させる認識手段が形成されている。
【００５９】
なお、仲介アダプタ６０を使用する場合には、仲介アダプタ６０と、ベースユニット４ｄとの連結部ではベースユニット４ｄのＬＧコネクタ２０は仲介アダプタ６０の逃げ孔７６内に挿入され、ＬＧコネクタ２０が仲介アダプタ６０と干渉しないようにしている。
【００６０】
また、図３に示すようにスコープユニット２のベースユニット４ｄの端板４ｄ２には上端部にガイドピン４５と、ロック部材４６とがそれぞれ配設されている。さらに、ベースユニット４ｄの端板４ｄ２の下端部にも同様に、ガイドピン４５と、ロック部材４６とがそれぞれ配設されている。同様に、仲介アダプタ６０の端板６０ａ１にも、ガイドピン４５′、ロック部材４６′を上下にそれぞれ設けている。
【００６１】
また、図８、図９に示すように固定ユニット３のスコープユニット当接面３ｂ１にはベースユニット４ｄのガイドピン４５及び仲介アダプタ６０のガイドピン４５′と対応する位置にガイドピン受け部材４７が高い位置精度で取付けられている。同様に、仲介アダプタ６０の内面側の端板６０ｂ１にも、ガイドピン受け部材４７′を設けている。
【００６２】
また、図１２（Ａ）は固定ユニット３とスコープユニット２のベースユニット４ｄとの筐体同士の連結時に締付け固定するロック部材４６を示す。このロック部材４６にはベースユニット４ｄを貫通してシャフト挿通孔５０の両側に延出されたシャフト４９が設けられている。このシャフト４９の基端部にはベースユニット４ｄの外部に配置されるつまみ５１が設けられている。さらに、図１２（Ｃ）に示すようにシャフト４９の先端部には略螺旋状のロック溝５２が形成されている。なお、シャフト４９の中間にはＥリング取付け溝が形成され、このＥリング取付け溝に設けられたＥリング４９ａにより、スコープユニット２からシャフト４９が外れないようになっている。
【００６３】
また、固定ユニット３のスコープユニット当接面３ｂ１における筐体パネルにはスコープユニット２のロック部材４６と対応する位置にロック穴４８が形成されている。このロック穴４８の周囲にはスコープユニット当接面３ｂ１の裏面にロック部材４６のロック用のばね部材５３が固定されている。このばね部材５３には直線状の係止部５３ａが形成されている。この係止部５３ａにはロック部材４６のシャフト４９の先端のロック溝５２が係脱可能に係止されるようになっている。
【００６４】
なお、図１３に示すように仲介アダプタ６０にも同様のロック部材４６′を設けている。この仲介アダプタ６０のロック部材４６′については、図１２（Ａ）に示すように出っ張ったつまみ５１ではなく、図１３（Ａ）に示すようにコイン等で回転できるようスリット等の入った回転板７７が設けてある。
【００６５】
さらに仲介アダプタ６０にはロック部材４６と対応する位置にロック穴４８′が形成されており、ロック穴４８と同様の構成となっている。
【００６６】
次に、上記構成の作用について説明する。本実施の形態の内視鏡装置１のシステムは、通常、図２に示すようにスコープユニット２と固定ユニット３とを組み合わせてスコープユニット２を用い内視鏡検査を行なう状態で使用される。
【００６７】
この場合には、まず、図７に示すように、固定ユニット３のユニットケース３ａの連結部３ｂにスコープユニット２のベースユニット４ｄが着脱可能に連結される。
【００６８】
このベースユニット４ｄの連結作業時には固定ユニット３のガイドレール１４にスコープユニット２のスライダー部材１３を挿入する。この状態で、スコープユニット２のベースユニット４ｄをガイドレール１４に沿って固定ユニット３側にスライドさせる。このスライド動作時には、まず、ＬＧコネクタ２０が固定ユニット３の光源側光コネクタ受部１９に当接する。このとき、スコープユニット２を押し込むとＬＧコネクタ２０は光源側光コネクタ受部１９のコネクターブロック２１内に侵入していく。
【００６９】
さらに、ＬＧコネクタ２０とコネクターブロック２１との連結作業中、固定ユニット３に向けてスコープユニット２のベースユニット４ｄを押し出す操作にともない、ガイドピン受け部材４７とスコープユニット２側のガイドピン４５の軸部材が当接する。これにより、固定ユニット３とスコープユニット２のベースユニット４ｄとの位置関係が決定される。
【００７０】
続いて、固定ユニット側電気コネクタ受部３３と、スコープ側電気コネクタ３４とが接続される。その後、ロック部材４６が使用される。このロック部材４６の使用時には固定ユニット３のスコープユニット当接面３ｂ１にスコープユニット２のベースユニット４ｄを突き当て、シャフト４９を前方に押しながらつまみ５１を手で回転させる。このとき、シャフト４９の先端のロック溝５２にはスコープユニット当接面３ｂ１の筐体パネル裏面のばね部材５３の係止部５３ａがはまる。
【００７１】
この状態で、さらにシャフト４９を回転させると、シャフト４９のロック溝５２によってばね部材５３の係止部５３ａを引込み、ロック溝５２の最後の部分で確実にロックされる。このとき、ばね部材５３のばね力により常に付勢されているため、シャフト４９を反対に回転させ、ロックを解除するまでロック部材４６が外れることはない。
【００７２】
次に、電源ケーブルをコンセント等のソケットに差し込み、リモコン１６に設けたパワーボタン（図示しない）を押下操作する。すると、固定ユニット３はスコープユニット２を認識するため、システム全体が異常なく立ち上がる。
【００７３】
また、内視鏡装置１のシステムが起動すると、光源装置９からの照明光がスコープユニット２に供給される。そして、ＣＣＤ制御部６ｂ、電動湾曲制御部６ａが動作可能状態となる。この状態で、内視鏡装置１を用いて検査対象空間内の検査を実施する。
【００７４】
この場合、前述したように使用するスコープユニット２はビデオスコープで、かつジョイスティックによる電動湾曲方式であるため、湾曲をさせたい方向にジョイスティックを傾斜させることにより、湾曲部４ａ２の湾曲動作を行い、モニター１７を通して観察像の観察が行なわれる。
【００７５】
次に、ビデオスコープ以外のファイバースコープ６９を使用する場合について説明する。このファイバースコープ６９は従来よりよく知られた内視鏡である。すなわち、このファイバースコープ６９では光源装置から出射される光をライトガイドファイババンドルで、内視鏡の先端に導光する。そして、内視鏡の先端から照明光を照射し、その反射光を同じく内視鏡内に設けたイメージガイドファイババンドルによって、手元側の接眼部６６に伝達し、目視によって観察する構成になっている。そのため、このファイバースコープ６９ではカメラコントロールユニットなどは不要で、光源装置のみあればよい。
【００７６】
本実施の形態の内視鏡装置１のシステムでファイバースコープ６９を使用する場合には、図６に示すように固定ユニット３のユニットケース３ａの連結部３ｂに仲介アダプタ６０を介してスコープユニット２のベースユニット４ｄを連結する。そして、この仲介アダプタ６０を介してファイバースコープ６９を使用する。この仲介アダプタ６０の連結作業時には固定ユニット３のガイドレール１４に仲介アダプタ６０のスライダー部材６１を挿入する。この状態で、仲介アダプタ６０をガイドレール１４に沿って固定ユニット３側にスライドさせる。このスライド動作時には、まず、仲介雄ＬＧコネクタ６３が固定ユニット３の光源側光コネクタ受部１９に当接する。このとき、仲介アダプタ６０を押し込むと仲介アダプタ側雄ＬＧコネクタ６３のＬＧコネクタ本体７０は光源側光コネクタ受部１９のコネクターブロック２１内に侵入していく。
【００７７】
さらに、仲介アダプタ側雄ＬＧコネクタ６３とコネクターブロック２１との連結作業中、固定ユニット３に向けて仲介アダプタ６０を押し出す操作にともない、ガイドピン受け部材４７と仲介アダプタ６０のガイドピン４５′の軸部材が当接する。これにより、固定ユニット３と仲介アダプタ６０との位置関係が決定される。
【００７８】
続いて、固定ユニット側電気コネクタ受部３３と、仲介アダプタ側電気コネクタ７３ａとが接続される。その後、ロック部材４６′が使用される。図１３（Ａ）示すように、このロック部材４６′の使用時には固定ユニット３のスコープユニット当接面３ｂ１に仲介アダプタ６０の端板６０ａ１を突き当て、シャフト４９′を前方に押しながら回転板７７をコイン等で回転させる。このとき、シャフト４９′の先端のロック溝５２′にはスコープユニット当接面３ｂ１の筐体パネル裏面のばね部材５３の係止部５３ａがはまる。
【００７９】
この状態で、さらにシャフト４９′を回転させると、シャフト４９′のロック溝５２′によってばね部材５３の係止部５３ａを引込み、ロック溝５２′の最後の部分で確実にロックされる。このとき、ばね部材５３のばね力により常に付勢されているため、シャフト４９′を反対に回転させ、ロックを解除するまでロック部材４６′が外れることはない。
【００８０】
次に、仲介アダプタ６０のガイドレール６２にスコープユニット２のベースユニット４ｄのスライダー部材１３を挿入する。この状態で、ベースユニット４ｄをガイドレール６２に沿って固定ユニット３側にスライドさせると、まずＬＧコネクタ２０が逃げ孔７６に収まる。
【００８１】
さらに、スコープユニット２のベースユニット４ｄを押し出す操作にともない、ガイドピン受け部材４７′とスコープユニット２側のガイドピン４５の軸部材が当接する。これにより、仲介アダプタ６０とスコープユニット２のベースユニット４ｄとの位置関係が決定される。
【００８２】
続いて、仲介アダプタ側電気コネクタ７３ｂと、スコープ側電気コネクタ３４とが接続される。その後、ロック部材４６が使用される。このロック部材４６の使用時には仲介アダプタ６０にスコープユニット２のベースユニット４ｄを突き当て、シャフト４９を押しながらつまみ５１を手で回転させる。このとき、シャフト４９の先端のロック溝５２には仲介アダプタ６０のばね部材５３′の係止部５３ａ′がはまる。
【００８３】
この状態で、さらにシャフト４９を回転させると、シャフト４９のロック溝５２によってばね部材５３′の係止部５３ａ′を引込み、ロック溝５２の最後の部分で確実にロックされる。このとき、ばね部材５３′のばね力により常に付勢されているため、シャフト４９を反対に回転させ、ロックを解除するまでロック部材４６が外れることはない。
【００８４】
その後、使用したいファイバースコープ６９のライトガイドコネクタ６８を仲介雌ＬＧコネクタ６５にはめ込む。
【００８５】
次に、電源ケーブルをコンセント等のソケットに差し込み、リモコン１６に設けたパワーボタン（図示しない）を押下操作する。すると、固定ユニット３は、仲介アダプタ側電気コネクタ７３ａ，ハーネス７５，仲介アダプタ側電気コネクタ７３ｂを通じてビデオスコープであるスコープユニット２を認識するため、システム全体が異常なく立ち上がる。
【００８６】
このように、内視鏡装置１のシステムが起動すると、光源装置９からの照明光が、光源側光コネクタ受部１９のコネクターブロック２１内に挿入されたＬＧコネクタ本体７０によって仲介ライトガイド７２を通り、コネクターブロック７１を介してファイバースコープ６９のライトガイドコネクタ６８に供給される。すると、ファイバースコープ６９は照明光を使用できる為、使用可能状態となる。
【００８７】
そして、この状態で内視鏡装置１を用いファイバースコープ６９による検査を実施する。その際、ファイバースコープ６９には湾曲操作ノブ７８がついている為、使用中はリモコン１６を使用せず、ファイバースコープ６９のみを使用すればよい。
【００８８】
なお、ビデオスコープであるスコープユニット２の使用時には図２に示すように図１の仲介アダプタ６０を抜いた為に空いたデッドスペース７９に、ファイバースコープ６９を収納してもよく、仲介アダプタ６０自身を収納してもよい。また、機器の耐落下性等の耐久性を確保する為に、緩衝材等を配置してもよい。
【００８９】
そこで、上記構成のものにあっては次の効果を奏する。すなわち、本実施の形態の内視鏡装置１のシステムでは、ビデオスコープであるスコープユニット２の使用時には図２に示すようにスコープユニット２と固定ユニット３との間を直接連結した状態にセットする。この状態で、光源ユニット９からの光はスコープユニット２に導光され、スコープユニット２が使用可能になる。
【００９０】
また、ファイバースコープ６９の使用時には図１に示すようにスコープユニット２のベースユニット４ｄと固定ユニット３との間に仲介アダプタ６０を介設させた状態にセットする。このとき、図１のセット状態では、スコープ側電気コネクタ３４と仲介アダプタ側電気コネクタ７３ｂとの間、及び仲介アダプタ側電気コネクタ７３ａと固定ユニット側電気コネクタ受部３３との間がそれぞれ接続される。さらに、仲介アダプタ６０の仲介アダプタ側電気コネクタ７３ａと仲介アダプタ側電気コネクタ７３ｂはハーネス７５で結線され、スコープユニット２のベースユニット４ｄと固定ユニット３の間を中継する。これにより、固定ユニット３内の電気回路と、スコープユニット２のベースユニット４ｄ内の電気回路との間は、仲介アダプタ６０の有無に関わらず電気的に接続される。そのため、この場合も光源ユニット９は駆動されるので、光源ユニット９からの光はファイバースコープ６９に導光され、ファイバースコープ６９が使用可能になる。
【００９１】
したがって、本実施の形態の内視鏡装置１のシステムでは固定ユニット３内の光源ユニット９をビデオスコープであるスコープユニット２の光源として使用できるとともに、ファイバースコープ６９の光源としても使用できる。そのため、用途に応じてビデオスコープであるスコープユニット２とファイバースコープ６９とを使い分ける必要がある場合でも、光源装置を２台持参する必要がないため、省力化、省スペース化できるという効果がある。すなわち、ファイバースコープ６９を使用できるシステムを提供することで、従来から所有している資産を有効に使えることに加え、装置本体を取り替えることなく、用途に応じてビデオスコープとファイバースコープを使い分けることができる。
【００９２】
特に、挿入部が汚染される用途に使用する場合で、再使用が難しい場合には、ファイバースコープ６９を取り付けて使用し、ディスポーザブル的に使用してよく、その場合には、ビデオスコープに比べ安価であり、経済的負担が軽くなるという効果がある。その際には、光源装置を２台持参する必要がないため、省力化、省スペース化できるという効果もある。
【００９３】
また、図１４乃至図１６は本発明の第２の実施の形態を示すものである。本実施の形態は第１の実施の形態（図１乃至図１３（Ａ）〜（Ｃ）参照）の内視鏡装置１のシステムにおける仲介アダプタ６０の構成を次の通り変更したものである。なお、本実施の形態の仲介アダプタ１６０には第１の実施の形態の仲介アダプタ６０に組み込まれた構成は全て組み込まれている。そのため、第１の実施の形態の仲介アダプタ６０と同一部分には同一の符号を付してここではその説明を省略する。
【００９４】
すなわち、本実施の形態の仲介アダプタ１６０には図１５に示すように第１の実施の形態仲介アダプタ６０と同様の構成のアダプタ本体１６０ａの内部にビデオスコープであるスコープユニット２のベースユニット４ｄ内の電気回路に相当するダミー手段１６１が設けられている。このダミー手段１６１には電動湾曲ビデオスコープに必須の電動湾曲制御部６ａと、ＣＣＤ制御部６ｂと、２つのモータユニット７とがダミーとして配置されている。そして、このダミー手段１６１によってファイバースコープ６９をビデオスコープであるスコープユニット２として認識させる認識手段が形成されている。
【００９５】
また、仲介アダプタ１６０の仲介アダプタ側電気コネクタ７３ａにはダミー手段１６１の電動湾曲制御部６ａのハーネス４０ａと、ＣＣＤ制御部６ｂのハーネス４０ｂとがそれぞれ接続されている。そして、仲介アダプタ１６０と固定ユニット３との連結時には仲介アダプタ側雄ＬＧコネクタ６３が固定ユニット３の光源側光コネクタ受部１９と接続され、仲介アダプタ側電気コネクタ７３ａが固定ユニット３の固定ユニット側電気コネクタ受部３３と電気的に接続されるようになっている。
【００９６】
次に、上記構成の本実施の形態の内視鏡装置１の作用について説明する。ビデオスコープのスコープユニット２を用いて内視鏡検査を行なう場合は第１の実施の形態と同様に、図２に示すようにスコープユニット２と固定ユニット３とを組み合わせる状態で使用される。
【００９７】
また、ビデオスコープ以外のファイバースコープ６９を使用する場合には次の操作が行なわれる。図１４に示すように固定ユニット３のユニットケース３ａの連結部３ｂに仲介アダプタ１６０を連結する。そして、この仲介アダプタ１６０を介してファイバースコープ６９を使用する。
【００９８】
仲介アダプタ１６０の連結作業時には固定ユニット３のガイドレール１４に仲介アダプタ１６０のスライダー部材６１を挿入する。この状態で、仲介アダプタ１６０をガイドレール１４に沿って固定ユニット３側にスライドさせる。このスライド操作時には、まず、仲介アダプタ側雄ＬＧコネクタ６３のＬＧコネクタ本体７０が固定ユニット３のコネクターブロック２１に当接する。このとき、仲介アダプタ１６０を押し込むとＬＧコネクタ本体７０はコネクターブロック２１内に侵入していく。
【００９９】
さらに、ＬＧコネクタ本体７０とコネクターブロック２１との連結作業中、固定ユニット３に向けて仲介アダプタ１６０を押し出す操作にともない、図１６に示すようにガイドピン受け部材４７と仲介アダプタ１６０のガイドピン４５’の軸部材が当接する。これにより、固定ユニット３と仲介アダプタ１６０との位置関係が決定される。
【０１００】
続いて、固定ユニット３の固定ユニット側電気コネクタ受部３３と、仲介アダプタ側電気コネクタ７３ａとが接続される。その後、ロック部材４６が使用される。このロック部材４６の使用時には固定ユニット３のスコープユニット当接面３ｂ１に仲介アダプタ１６０の端板１６０ａ１を突き当て、シャフト４９を押しながらつまみ５１を回転させる。このとき、シャフト４９の先端のロック溝５２にはスコープユニット当接面３ｂ１の筐体パネル裏面のばね部材５３の係止部５３ａがはまる。
【０１０１】
この状態で、さらにシャフト４９を回転させると、シャフト４９のロック溝５２によってばね部材５３の係止部５３ａを引込み、ロック溝５２の最後の部分で確実にロックされる。このとき、ばね部材５３のばね力により常に付勢されているため、シャフト４９を反対に回転させ、ロックを解除するまでロック部材４６が外れることはない。
【０１０２】
その後、使用したいファイバースコープ６９のライトガイドコネクタ６８を仲介雌ＬＧコネクタ６５にはめ込む。
【０１０３】
次に、電源ケーブルをコンセント等のソケットに差し込み、リモコン１６に設けたパワーボタン（図示しない）を押下操作する。すると、固定ユニット３は、電動湾曲制御部６ａ、ＣＣＤ制御部６ｂにより仲介アダプタ１６０のダミー手段１６１をビデオスコープとして認識するため、システム全体が異常なく立ち上がる。
【０１０４】
また、内視鏡装置１のシステムが起動すると、光源装置９からの照明光が、光源側光コネクタ受部１９から仲介雄ＬＧコネクタ６３のＬＧコネクタ本体７０に導光され、さらに仲介ライトガイド７２を通り、仲介アダプタ側雌ライトガイドコネクタ６５を介してファイバースコープ６９のライトガイドコネクタ６８に供給される。これにより、ファイバースコープ６９は照明光を使用できる為、使用可能状態となる。
【０１０５】
つまり、固定ユニット３内のシステム制御回路１０からの接続問い合わせ信号に対し、仲介アダプタ１６０内にダミーとして配置したダミー手段１６１の電動湾曲制御部６ａ、ＣＣＤ制御部６ｂが応答信号を返信するため、システム制御回路１０は仲介アダプタ１６０をビデオスコープと認識し、ファイバースコープ６９に照明光を供給することとなる。
【０１０６】
そして、この状態で内視鏡装置１を用い検査を実施する。その際、ファイバースコープ６９には湾曲操作ノブ７８がついている為、使用中はリモコン１６を使用せず、ファイバースコープ６９のみを使用すればよい。
【０１０７】
そこで、本実施の形態の内視鏡装置１でも第１の実施の形態と同様に固定ユニット３内の光源ユニット９をビデオスコープであるスコープユニット２の光源として使用できるとともに、ファイバースコープ６９の光源としても使用できる。そのため、用途に応じてビデオスコープであるスコープユニット２とファイバースコープ６９とを使い分ける必要がある場合でも、光源装置を２台持参する必要がないため、省力化、省スペース化できるという効果がある。さらに、本実施の形態では特に、上記第１の実施の形態の効果に加え、使用しないビデオスコープであるスコープユニット２を固定ユニット３に取り付けなくてすむ。そのため、リモコン１６によりスコープユニット２を動作させてしまう間違いを確実に防止することができる。
【０１０８】
また、図１７は本発明の第３の実施の形態を示すものである。本実施の形態は第２の実施の形態（図１４乃至図１６参照）の内視鏡装置１の構成を次の通り変更したものである。なお、図１７中で、第１、第２の実施の形態の内視鏡装置１と同一部分には同一の符号を付してここではその説明を省略する。
【０１０９】
すなわち、本実施の形態では第２の実施の形態の仲介アダプタ１６０内のダミー手段１６１のみを内蔵した独立の仲介アダプタユニット１７１が設けられている。この仲介アダプタユニット１７１には第２の実施の形態の仲介アダプタ１６０の仲介雄ＬＧコネクタ６３、仲介アダプタ側雌ライトガイドコネクタ６５、ライトガイド７２などが省略されている。
【０１１０】
また、仲介アダプタユニット１７１の仲介アダプタ側電気コネクタ７３ａにはダミー手段１６１の電動湾曲制御部６ａのハーネス４０ａと、ＣＣＤ制御部６ｂのハーネス４０ｂとがそれぞれ接続されている。そして、仲介アダプタユニット１７１と固定ユニット３との連結時には仲介アダプタ側電気コネクタ７３ａが固定ユニット３の固定ユニット側電気コネクタ受部３３と電気的に接続されるようになっている。
【０１１１】
また、本実施の形態ではファイバースコープ６９のユニバーサルケーブル６７のライトガイドコネクタ６８は直接、光源側光コネクタ受部１９に接続されている。
【０１１２】
なお、仲介アダプタユニット１７１のロック機構、位置決め機構は第２の実施の形態の内視鏡装置１と同一構成になっている。
【０１１３】
次に、上記構成の本実施の形態の作用について説明する。本実施の形態の仲介アダプタユニット１７１の連結作業時には固定ユニット３のガイドレール１４に仲介アダプタユニット１７１のスライダー部材６１を挿入する。この状態で、仲介アダプタユニット１７１をガイドレール１４に沿って固定ユニット３側にスライドさせ、固定ユニット３の固定ユニット側電気コネクタ受部３３と、仲介アダプタユニット１７１の仲介アダプタ側電気コネクタ７３ａとを接続させる。
【０１１４】
続いて、使用したいファイバースコープ６９のユニバーサルケーブル６７のライトガイドコネクタ６８を固定ユニット３の光源側光コネクタ受部１９に直接、組み付ける。
【０１１５】
その後、電源ケーブルをコンセント等のソケットに差し込み、リモコン１６に設けたパワーボタン（図示しない）を押下操作する。すると、固定ユニット３は、電動湾曲制御部６ａ、ＣＣＤ制御部６ｂにより仲介アダプタユニット１７１のダミー手段１６１をビデオスコープとして認識するため、システム全体が異常なく立ち上がる。
【０１１６】
また、内視鏡装置１のシステムが起動すると、光源装置９からの照明光が直接、ファイバースコープ６９のライトガイドコネクタ６８に供給される。これにより、ファイバースコープ６９は照明光を使用できる為、使用可能状態となる。
【０１１７】
つまり、固定ユニット３内のシステム制御回路１０からの接続問い合わせ信号に対し、仲介アダプタユニット１７１内にダミーとして配置したダミー手段１６１の電動湾曲制御部６ａ、ＣＣＤ制御部６ｂが応答信号を返信するため、システム制御回路１０は仲介アダプタユニット１７１をビデオスコープと認識し、ファイバースコープ６９に照明光を供給することとなる。
【０１１８】
そして、この状態で内視鏡装置１を用い検査を実施する。その際、ファイバースコープ６９には湾曲操作ノブ７８がついている為、使用中はリモコン１６を使用せず、ファイバースコープ６９のみを使用すればよい。
【０１１９】
そこで、本実施の形態の内視鏡装置１でも第１の実施の形態と同様に固定ユニット３内の光源ユニット９をビデオスコープであるスコープユニット２の光源として使用できるとともに、ファイバースコープ６９の光源としても使用できる。そのため、用途に応じてビデオスコープであるスコープユニット２とファイバースコープ６９とを使い分ける必要がある場合でも、光源装置を２台持参する必要がないため、省力化、省スペース化できるという効果がある。
【０１２０】
さらに、本実施の形態では特に、仲介アダプタユニット１７１内に照明光を中継する仲介雄ＬＧコネクタ６３、仲介アダプタ側雌ライトガイドコネクタ６５、ライトガイド７２を設けずに済む。そのため、第２の実施の形態に比べて、照明光の光量の損失を防ぐことができる。
【０１２１】
また、仲介アダプタユニット１７１を小型化できる効果もある。その場合、仲介アダプタユニット１７１を小型化して生じた余剰空間に、ファイバースコープ６９を収納してもよい。また、ファイバースコープ６９に限らず、ビデオカメラ１０６などの付属機器及び、光源装置として使用するランプの予備を収納してもよい。さらには、取扱説明書、交換用の光学アダプタでもよい。また余剰空間を作らず、その分、装置全体を小型化してもよい。
【０１２２】
なお、上述した第２、３の各実施の形態において、また、ダミー手段１６１は電動湾曲制御部６ａ、ＣＣＤ制御部６ｂ、モータユニット７が全て必要な訳でない。例えば、固定ユニット３のシステム制御回路１０と信号のやり取りを行なう電動湾曲制御部６ａ、ＣＣＤ制御部６ｂだけでもよい。また、システム制御回路１０が電動湾曲制御部６ａ、ＣＣＤ制御部６ｂのどちらか一方を認識する必要がなければ、ダミー手段１６１は電動湾曲制御部６ａ、ＣＣＤ制御部６ｂのどちらか一方のみがあればよい。
【０１２３】
また、電動湾曲制御部６ａ、ＣＣＤ制御部６ｂのどちらかがシステム制御回路１０に認識されるのではなく、電動湾曲制御部６ａ、ＣＣＤ制御部６ｂのどちらかがシステム制御回路１０を認識してもよい。この場合、システム制御回路１０、電動湾曲制御部６ａ、ＣＣＤ制御部６ｂの少なくとも一方が判別手段となる。
【０１２４】
また、ダミー手段１６１はこの電動湾曲制御部６ａ、ＣＣＤ制御部６ｂだけでなく、単にシステム制御回路１０と応答する回路を内蔵していてもよい。
【０１２５】
また、図１８乃至図２０（Ａ），（Ｂ）は本発明の第４の実施の形態を示すものである。本実施の形態は第１の実施の形態（図１乃至図１３（Ａ）〜（Ｃ）参照）の内視鏡装置１のシステムにおける仲介アダプタ６０の仲介雌ＬＧコネクタ６５の部分の変形例を示す。なお、これ以外の部分は第１の実施の形態の内視鏡装置１と同一構成になっており、第１の実施の形態の内視鏡装置１と同一部分には同一の符号を付してここではその説明を省略する。
【０１２６】
すなわち、図１９（Ａ）に示すように本実施の形態の仲介アダプタ６０の上板６０ｃには金属製螺旋管または樹脂チューブからなるフレキシブルチューブ１８１が突設されている。このフレキシブルチューブ１８１の先端部に仲介雌ＬＧコネクタ６５が連結されている。
【０１２７】
さらに、図１８に示すようにフレキシブルチューブ１８１の内部には仲介ライトガイド７２が挿通されている。そして、この仲介ライトガイド７２を介して仲介アダプタ側雄ＬＧコネクタ６３と仲介雌ＬＧコネクタ６５とが連結されている。
【０１２８】
次に、上記構成の作用について説明する。本実施の形態では、ファイバースコープ６９を使用する場合には、仲介雌ＬＧコネクタ６５にファイバースコープ６９のライトガイドコネクタ６８を連結させる。このとき、図２０（Ａ）に示すようにファイバースコープ６９のユニバーサルケーブル６７に急激な曲がりが加わるような位置でファイバースコープ６９を使う場合には、図２０（Ｂ）に示すようにフレキシブルチューブ１８１を曲げることにより、ファイバースコープ６９のユニバーサルケーブル６７に急激な曲がりが加わらないようにすることができる。
【０１２９】
そこで、上記構成のものにあってはファイバースコープ６９のユニバーサルケーブル６７の急激な曲げを防止することで、ファイバースコープ６９のユニバーサルケーブル６７の弾性復元力による突っ張り感を排除でき、ファイバースコープ６９を把持、操作しやすくなる。
【０１３０】
また、ファイバースコープ６９のユニバーサルケーブル６７の導出方向を変換する機構をファイバースコープ６９側にではなく、仲介アダプタ６０（または仲介アダプタ１６０）側に設けたことでファイバースコープ６９を軽量化、小型化できる効果がある。
【０１３１】
なお、本実施の形態において、フレキシブルチューブ１６１は曲げた形状を保持するフレキシブルチューブであっても、弾性的にもとの形状に戻るフレキシブルチューブでもよいが、後者の場合、弾性力が小さい方がファイバースコープ６９のユニバーサルケーブル６７の抵抗感につながり難い。
【０１３２】
また、図１９（Ａ）に示すフレキシブルチューブ１８１に代えて図１９（Ｂ）に示す変形例のように仲介雌ＬＧコネクタ６５の方向を変えることができるアーム機構１８２を設けても良い。このアーム機構１８２には仲介アダプタ６０の上板６０ｃに突設された導出管１８３の先端部に回動軸（ジョイント部）１８４を中心に回動可能な可動アーム１８５の基端部が連結されている。この可動アーム１８５の先端部には仲介雌ＬＧコネクタ６５が連結されている。
【０１３３】
さらに、導出管１８３および可動アーム１８５の内部には仲介ライトガイド７２が挿通されている。そして、この仲介ライトガイド７２を介して仲介アダプタ側雄ＬＧコネクタ６３と仲介雌ＬＧコネクタ６５とが連結されている。
【０１３４】
したがって、本変形例ではファイバースコープ６９のユニバーサルケーブル６７に急激な曲がりが加わるような位置でファイバースコープ６９を使う場合には、導出管１８３に対して回動軸１８４を中心に可動アーム１８５を曲げることにより、ファイバースコープ６９のユニバーサルケーブル６７に急激な曲がりが加わらないようにすることができる。そのため、本変形例でも第４の実施の形態と同様の効果が得られる。
【０１３５】
なお、本発明は上記各実施の形態に限定されるものではない。例えば、上記各実施の形態では第１の内視鏡をビデオスコープ、第２の内視鏡をファイバースコープとしたが、第２の内視鏡はリレーレンズまたはセルフォックレンズを有する硬性鏡であってもよい。また、第２の内視鏡は一切湾曲機構がなくてもよい。
【０１３６】
なお、上記実施の形態において、固定ユニット３とスコープユニット２のベースユニット４ｄとの間、固定ユニット３と仲介アダプタ６０（または仲介アダプタ１６０）との間、仲介アダプタ６０とスコープユニット２のベースユニット４ｄとの間の固定については、ロック部材に限らず、磁石や粘着テープ、及びスナップフィットでも問題はない。なお、上記実施の形態において、内視鏡収納ケースを取外した状態で使用しても、内部の機器を保護するために取り付けて使用してもどちらでもよい。
【０１３７】
さらに、その他、本発明の要旨を逸脱しない範囲で種々変形実施できることは勿論、実施の形態を超えて組み合わせて使用してもなんら問題はない。
次に、本出願の他の特徴的な技術事項を下記の通り付記する。
記
（付記項１）  第１の内視鏡を着脱自在とする着脱部を配した装置本体を有する内視鏡装置において、着脱部には、第２の内視鏡を第１の内視鏡として認識させる認識手段を設けたことを特徴とする内視鏡装置。
【０１３８】
（付記項２）  第１の内視鏡を着脱自在とする着脱部を有する装置本体で、装置本体に光源を有する内視鏡装置において、着脱部には、第２の内視鏡を連結し前記光源の照明光を第２の内視鏡に供給する供給手段と、第２の内視鏡を第１の内視鏡として認識させる認識手段を設けたことを特徴とする内視鏡装置。
【０１３９】
（付記項３）  付記項２において、認識手段は、供給手段の近傍に設置される第１の内視鏡であることを特徴とする内視鏡装置。
【０１４０】
（付記項４）  付記項２において、第１の内視鏡は、先端部に固体撮像素子を配したビデオスコープであることを特徴とする内視鏡装置。
【０１４１】
（付記項５）  固体撮像素子を駆動制御する第１の撮像制御装置を第１の内視鏡に有する付記項４において、認識手段は、第１の撮像制御装置であることを特徴とする内視鏡装置。
【０１４２】
（付記項６）  先端部近傍に湾曲部を設け、その湾曲部を電動式による湾曲させる湾曲駆動機構とその動作制御を行なう第１の湾曲制御部を有する付記項４において、認識手段は、第１の湾曲制御部であることを特徴とする内視鏡装置。
【０１４３】
（付記項７）  付記項２において、第２の内視鏡は、イメージガイドファイバを有するファイバースコープであることを特徴とする内視鏡装置。
【０１４４】
（付記項８）  付記項２において、第２の内視鏡は、リレーレンズまたはセルフォックレンズを有する硬性鏡であることを特徴とする内視鏡装置。
【０１４５】
（付記項９）  付記項６において、第２の内視鏡は手動方式の湾曲機構を有する手動内視鏡であることを特徴とする内視鏡装置。
【０１４６】
（付記項１０）  付記項６において、第２の内視鏡には湾曲機構を有しないことを特徴とする内視鏡装置。
【０１４７】
（付記項１１）  付記項２において、認識手段を供給手段内に設けたことを特徴とする内視鏡装置。
【０１４８】
（付記項１２）  付記項１、４、５において、認識手段は、第１の撮像制御装置とは異なる第２の撮像制御装置であることを特徴とする内視鏡装置。
【０１４９】
（付記項１３）  付記項１、４、６において、認識手段は、第１の湾曲制御部とは異なる第２の湾曲制御部であることを特徴とする内視鏡装置。
【０１５０】
（付記項１４）  付記項１及び２において、認識手段または供給手段と、装置本体の少なくとも一方に、どちらか一方が他方を認識し使用可を判別する判別手段を有していることを特徴とする内視鏡装置。
【０１５１】
（付記項１５）  付記項１４において、認識手段として装置本体から認識され使用可と判別される付記項１４の判別手段を供給手段内に設けたことを特徴とする内視鏡装置。
【０１５２】
（付記項１６）  付記項１４において、認識手段として装置本体を認識し使用可と判別する付記項１４の判別手段を供給手段内に設けたことを特徴とする内視鏡装置。
【０１５３】
（付記項１７）  複数のスコープと組み合わせて使用する装置本体で、装置本体に光源を有し、スコープに照明光を供給する内視鏡装置において、装置本体には、光源からスコープへの照明光の導出方向を変換するよう仲介する変換アダプタを着脱自在に設けたことを特徴とする内視鏡装置。
【０１５４】
（付記項１〜１６の従来技術）  特開２０００−１０２５０７号公報には、電気的な接続を認識してスコープと装置本体がはじめて接続され、使用可能状態となるものが記されている。特開平７−３６０号公報には、同時式、面順次式の互換性があるシステムが記されている。特開平５−３３７０７９号公報には、画素数の異なるスコープを互換させるアダプタが記されている。
【０１５５】
（付記項１〜１６が解決しようとする課題）  特開２０００−１０２５０７号公報の装置ではファイバースコープの場合、できる限り構造を簡略化するために、電気回路、電気接点のないものがそのほとんどを占め、本公報にあるような光源装置には、ファイバースコープが組み付かず（機器が認識せず）、使用できないという問題があった。
【０１５６】
（付記項１〜１６の目的）  互換性のない複数の内視鏡のライトガイドコネクタを装置本体に取り付け可能で、ファイバースコープや硬性鏡などの非ビデオスコープを組み付けた場合にビデオスコープとして認識し、装置本体をスタンバイ可能な状態とし、検査できるようにする着脱式仲介アダプタを備えた内視鏡装置を提供することにある。
【０１５７】
（付記項１７の従来技術）  特開平３−１５３２０９号公報には、異なる種類の内視鏡のライトガイドコネクタをアダプタを介して１つの光源装置のソケットに係合させることができる構成が開示されている。特開平７−１６８１０４号公報には、内視鏡の接続コードの基端側端部に設けたコネクタ本体に、光源装置のコネクタ受部の挿入孔内に挿入される挿入部（プラグ部）を設け、その突設方向に対して接続コードの向きを変える方向変換部を設けたことが記されている。
【０１５８】
（付記項１７が解決しようとする課題）  しかし、特開平３−１５３２０９号公報の装置では複数の内視鏡を一つの光源装置に取り付けることができるものの、特開平７−１６８１０４号公報の課題にもあるように、ライトガイドケーブルの導出方向を変更できないという欠点がある。特開平７−１６８１０４号公報の装置ではスコープに方向変換部を設ける必要があり、その場合、すべてのコネクタ本体が大型化、重厚化してしまうという欠点がある。また、この変換部を有していないスコープについては、依然、その効果がないという問題点がある。
【０１５９】
（付記項１７の目的）  所定の方向にライトガイドコネクタの向きを変換できるうえ、スコープ側ではなく、装置側に方向変換部を設け、スコープ側を小型軽量化するとともに、装置側に汎用性を持たせることで使用できるスコープの種類を増やすことができる内視鏡装置を提供することにある。
【０１６０】
【発明の効果】
本発明によれば、１台の装置本体に対して異なる複数種類の内視鏡を適宜選択的に組み合わせて共通に使用することができる。
【図面の簡単な説明】
【図１】本発明の第１の実施の形態の工業用内視鏡装置における固定ユニットが仲介アダプタを介してスコープユニットと組み合わせた状態を示す全体の概略構成図。
【図２】第１の実施の形態の工業用内視鏡装置における固定ユニットが仲介アダプタなしでスコープユニットと組み合わせた状態を示す全体の概略構成図。
【図３】第１の実施の形態の工業用内視鏡装置全体の分解斜視図。
【図４】第１の実施の形態の工業用内視鏡装置における挿入部の先端部から光学アダプタを取外した状態を示す斜視図。
【図５】第１の実施の形態の工業用内視鏡装置におけるスコープユニットのベースユニットを示すもので、（Ａ）はベースユニットの側面図、（Ｂ）は同正面図、（Ｃ）は（Ｂ）のＶＣ−ＶＣ線断面図。
【図６】第１の実施の形態の工業用内視鏡装置における固定ユニットが仲介アダプタを介してスコープユニットと組み合わせて使用される状態を示す分解斜視図。
【図７】第１の実施の形態の工業用内視鏡装置における固定ユニットが仲介アダプタなしでスコープユニットと組み合わせて使用される状態を示す分解斜視図。
【図８】第１の実施の形態の工業用内視鏡装置における固定ユニットが仲介アダプタを介してスコープユニットと組み合わせて使用される状態を示す縦断面図。
【図９】第１の実施の形態の工業用内視鏡装置における固定ユニットが仲介アダプタなしでスコープユニットと組み合わせて使用される状態を示す縦断面図。
【図１０】第１の実施の形態の工業用内視鏡装置の仲介アダプタの仲介雄ＬＧコネクタと光源側光コネクタとの接続部を示す要部の縦断面図。
【図１１】（Ａ）は第１の実施の形態の工業用内視鏡装置の固定ユニット側電気コネクタを示す平面図、（Ｂ）は固定ユニット側電気コネクタの電気コネクタ本体が基板に実装された状態を示す正面図、（Ｃ）はスコープ側電気コネクタを示す平面図、（Ｄ）はスコープ側電気コネクタの電気コネクタ本体が基板に実装された状態を示す正面図。
【図１２】（Ａ）は第１の実施の形態の工業用内視鏡装置の固定ユニットとスコープユニットにおけるベースユニットとの固定具の取付け状態を示す要部の縦断面図、（Ｂ）は固定ユニットの固定ばね部材を示す平面図、（Ｃ）は固定具のシャフトのロック溝を示す斜視図。
【図１３】第１の実施の形態の工業用内視鏡装置の固定ユニットと仲介アダプタとの固定具を示すもので、（Ａ）は固定ユニットと仲介アダプタとの固定具の取付け状態を示す要部の縦断面図、（Ｂ）は固定ユニットの固定ばね部材を示す平面図、（Ｃ）は固定具のシャフトのロック溝を示す斜視図。
【図１４】本発明の第２の実施の形態の工業用内視鏡装置全体の分解斜視図。
【図１５】第２の実施の形態の工業用内視鏡装置の内部構成を示す全体の概略構成図。
【図１６】第２の実施の形態の工業用内視鏡装置における固定ユニットで仲介アダプタを介してファイバースコープを使用する状態を示す縦断面図。
【図１７】本発明の第３の実施の形態の工業用内視鏡装置の内部構成を示す全体の概略構成図。
【図１８】本発明の第４の実施の形態の工業用内視鏡装置の内部構成を示す全体の概略構成図。
【図１９】（Ａ）は第４の実施の形態の工業用内視鏡装置における仲介アダプタのフレキシブルチューブを示す斜視図、（Ｂ）は第４の実施の形態の変形例を示す要部の斜視図。
【図２０】（Ａ）はファイバースコープのユニバーサルケーブルに急激な曲がりが加わる状態を示す側面図、（Ｂ）はフレキシブルチューブを曲げた状態を示す側面図。
【符号の説明】
２…スコープユニット（第１の内視鏡）、３…固定ユニット（内視鏡装置本体）、３ｂ…連結部（内視鏡着脱部）、１９…光源側光コネクタ受部、３３…固定ユニット側電気コネクタ受部、２０…スコープＬＧコネクタ（第１の光コネクタ部）、３４…スコープ側電気コネクタ（第１の電気コネクタ部）、６０ｂ１…端板（第１の内視鏡連結部）、６０ｃ…上板（第２の内視鏡連結部）、６３…仲介アダプタ側雄ＬＧコネクタ（第２の光コネクタ部）、６５…仲介雌ＬＧコネクタ（第３の光コネクタ部）、６９…ファイバースコープ（第２の内視鏡）、７２…仲介ライトガイド（導光手段）、７３ａ…仲介アダプタ側電気コネクタ（第２の電気コネクタ部）、７３ｂ…アダプタ側電気コネクタ（第３の電気コネクタ部）、７５…ハーネス（電気接続手段）。
【図１】
2004290568.tif 000003
【図２】
2004290568.tif 000004
【図３】
2004290568.tif 000005
【図４】
2004290568.tif 000006
【図５】
2004290568.tif 000007
【図６】
2004290568.tif 000008
【図７】
2004290568.tif 000009
【図８】
2004290568.tif 000010
【図９】
2004290568.tif 000011
【図１０】
2004290568.tif 000012
【図１１】
2004290568.tif 000013
【図１２】
2004290568.tif 000014
【図１３】
2004290568.tif 000015
【図１４】
2004290568.tif 000016
【図１５】
2004290568.tif 000017
【図１６】
2004290568.tif 000018
【図１７】
2004290568.tif 000019
【図１８】
2004290568.tif 000020
【図１９】
2004290568.tif 000021
【図２０】
2004290568.tif 000022